(57)【要約】【課題】少なくとも側壁部の一部が透明な栽培容器を用いて栽培及び出荷を行う際に、植物の茎の成長を円滑にするとともに、植物が傷つくのを防止する。【解決手段】植物栽培装置１は、透明の栽培容器２に不透明の遮光体３を取り付けたものである。  栽培容器２は、透明の材質で底面部２１と側壁部２２，２３，２４，２５を形成することで、上側が開口し内側に消費の一単位としての芽物野菜を栽培するための栽培室を設けている。遮光体３は、不透明または半透明の材質で形成し、前記栽培容器２の周りを覆う。栽培容器２の栽培室１０には、発泡ウレタンマット、不織布等からなる植物栽培用培地４０（以下、培地４０と省略する）が配置され、この培地４０の上に植物の芽物野菜としての貝割れ大根４の種子４１を蒔くことによって貝割れ大根４を栽培する。栽培中の貝割れ大根４は、種子４１から根４２及び芽４３が伸びる。【選択図】  図１
2004242575.tif 000002
【特許請求の範囲】
【請求項１】
底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を用いて植物を栽培する植物栽培方法において、
前記植物の栽培の際に、遮光性を備えた栽培容器用遮光体で、前記栽培容器の周りから前記側壁部の透明に形成された部分を覆うことを特徴とする植物栽培方法。
【請求項２】
底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を用いて植物を栽培する際に用いるものであって、
遮光性を備え、前記栽培容器の周りから前記側壁部の透明に形成された部分を覆う遮光部を具備したことを特徴とする栽培容器用遮光体。
【請求項３】
底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器と、
遮光性を備え、前記栽培容器の周りから前記側壁部の透明に形成された部分を覆う栽培容器用遮光体と、
を具備したことを特徴とする植物栽培装置。
【請求項４】
前記栽培容器の底面部と側壁部の内、少なくとも一方に貫通孔を形成したことを特徴とする請求項３に記載の植物栽培装置。
【請求項５】
前記栽培容器の底面部と側壁部の内、少なくとも側壁部の一部に貫通孔を設けたことを特徴とする請求項３に記載の植物栽培装置。
【請求項６】
底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を用いて植物を栽培する植物栽培方法において、
遮光性を備え、上側面に開口する複数の凹部を設けた栽培容器用遮光体を用意し、前記植物の栽培の際に、前記栽培容器用遮光体の複数の凹部にそれぞれ前記栽培容器を挿入することで、前記栽培容器用遮光体で、前記複数の栽培容器の前記側壁部の透明に形成された部分を覆うことを特徴とする植物栽培方法。
【請求項７】
底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を複数用いて植物を栽培する際に用いるものであって、
遮光性を備え、上側面に開口する複数の凹部を設け、これら複数の凹部にそれぞれ前記栽培容器を挿入することで、前記複数の栽培容器の前記側壁部の透明に形成された部分を覆う遮光部を具備したことを特徴とする栽培容器用遮光体。
【請求項８】
底面部と側壁部を形成することで、上側が開口し内側に消費の一単位としての植物を栽培するための栽培室をそれぞれ設け、少なくとも側壁部の一部を透明に形成することで、前記植物の栽培と出荷とを兼用する複数の栽培容器と、
遮光性を備え、上側面に開口する複数の凹部を設け、これら複数の凹部にそれぞれ前記栽培容器を挿入することで、前記複数の栽培容器の前記側壁部の透明に形成された部分を覆う栽培容器用遮光体と、
を具備したことを特徴とする植物栽培装置。
【請求項９】
底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を用いて植物を栽培する植物栽培方法において、
遮光性を備え、板状に形成するとともに、上面から下面に向けて開孔する複数の開孔部を設けた栽培容器用遮光体を用意し、前記植物の栽培の際に、前記栽培容器用遮光体に形成した複数の開孔部にそれぞれ前記栽培容器の下側を挿入して取り付けることで、前記栽培容器用遮光体で、前記複数の開孔部より下側の前記複数の栽培容器の側壁部外面を上側から遮蔽することを特徴とする植物栽培方法。
【請求項１０】
底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を複数用いて植物を栽培する際に用いるものであって、
遮光性を備え、板状に形成するとともに、上面から下面に向けて開孔する複数の開孔部を設け、これら複数の開孔部にそれぞれ前記栽培容器の下側を挿入して取り付けることで、前記複数の開孔部より下側の前記複数の栽培容器の側壁部外面を上側から遮蔽する遮光部を具備したことを特徴とする栽培容器用遮光体。
【請求項１１】
底面部と側壁部を形成することで、上側が開口し内側に消費の一単位としての植物を栽培するための栽培室をそれぞれ設け、少なくとも側壁部の一部を透明に形成することで、前記植物の栽培と出荷とを兼用する複数の栽培容器と、
遮光性を備え、板状に形成するとともに、上面から下面に向けて開孔する複数の開孔部を設け、これら複数の開孔部にそれぞれ前記栽培容器の下側を挿入して取り付けることで、前記複数の開孔部より下側の前記複数の栽培容器の側壁部外面を上側から遮蔽する栽培容器用遮光体と、
を具備したことを特徴とする植物栽培装置。
【請求項１２】
前記栽培容器用遮光体の複数の開孔部から下側に突出した前記複数の栽培容器の周りをそれぞれ覆う複数の壁部を前記保持具の下面に設けたことを特徴とする請求項１１に記載の植物栽培装置。
【発明の詳細な説明】
【０００１】
【発明の属する技術分野】
本発明は植物を栽培する植物栽培方法、栽培容器用遮光体及び植物栽培装置に係り、特に芽物野菜の栽培に好適な植物栽培方法、栽培容器用遮光体及び植物栽培装置に関する。
【０００２】
【従来の技術】
従来、貝割れ大根、三ツ葉、そば芽や小大豆もやしなどの芽物野菜を透明な栽培兼包装容器を用いて栽培を行う際には、上部側からのみならず側壁部側からも光が当たるために、芽物野菜の茎が必ずしも垂直上方に向かって育成しないことがあった。
【０００３】
このような難点を解決するために、栽培兼包装容器の内壁と栽培中の芽物野菜の間に栽培兼包装容器用遮光体の遮光部を挿入することで、側壁部側からの光が芽物野菜に当たるのを防止する技術がある（例えば、特許文献１参照）。
【０００４】
【特許文献１】
特許番号第２７３１７７４号公報（第２−５頁、図１−３）
【０００５】
【発明が解決しようとする課題】
しかしながら、前記栽培兼包装容器の内壁と芽物野菜の間に遮光部を挿入することで、側壁部側からの光が芽物野菜に当たるのを防止する技術では、遮光部を引き抜く際に、遮光部が芽物野菜を傷つけることが多々あり、この場合には栽培した芽物野菜を破棄しなければならなくなり、芽物野菜の原価を増大させていた。
【０００６】
本発明は上記事情に鑑みてなされたものであり、少なくとも側壁部の一部が透明な栽培容器を用いて栽培及び出荷を行う際に、植物の茎の成長を円滑にするとともに、植物が傷つくのを防止できる植物栽培方法、栽培容器用遮光体及び植物栽培装置の提供を目的としている。
【０００７】
また、本発明は栽培室の通気性を高めることができる植物栽培装置の提供を目的としている。
【０００８】
【課題を解決するための手段】
前記目的を達成するため請求項１に記載の植物栽培方法は、底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を用いて植物を栽培する植物栽培方法において、前記植物の栽培の際に、遮光性を備えた栽培容器用遮光体で、前記栽培容器の周りから前記側壁部の透明に形成された部分を覆うことを特徴とする。
【０００９】
請求項２に記載の栽培容器用遮光体は、底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を用いて植物を栽培する際に用いるものであって、遮光性を備え、前記栽培容器の周りから前記側壁部の透明に形成された部分を覆う遮光部を具備したことを特徴とする。
【００１０】
請求項３に記載の植物栽培装置は、底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器と、遮光性を備え、前記栽培容器の周りから前記側壁部の透明に形成された部分を覆う栽培容器用遮光体と、を具備したことを特徴とする。
【００１１】
請求項４に記載の植物栽培装置は、請求項３に記載の植物栽培装置であって、前記栽培容器の底面部と側壁部の内、少なくとも一方に貫通孔を形成したことを特徴とする。
【００１２】
請求項５に記載の植物栽培装置は、請求項３に記載の植物栽培装置であって、前記栽培容器の底面部と側壁部の内、少なくとも側壁部の一部に貫通孔を設けたことを特徴とする。
【００１３】
請求項６に記載の植物栽培方法は、底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を用いて植物を栽培する植物栽培方法において、遮光性を備え、上側面に開口する複数の凹部を設けた栽培容器用遮光体を用意し、前記植物の栽培の際に、前記栽培容器用遮光体の複数の凹部にそれぞれ前記栽培容器を挿入することで、前記栽培容器用遮光体で、前記複数の栽培容器の前記側壁部の透明に形成された部分を覆うことを特徴とする。
【００１４】
請求項７に記載の栽培容器用遮光体は、底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を複数用いて植物を栽培する際に用いるものであって、遮光性を備え、上側面に開口する複数の凹部を設け、これら複数の凹部にそれぞれ前記栽培容器を挿入することで、前記複数の栽培容器の前記側壁部の透明に形成された部分を覆う遮光部を具備したことを特徴とする。
【００１５】
請求項８に記載の植物栽培装置は、底面部と側壁部を形成することで、上側が開口し内側に消費の一単位としての植物を栽培するための栽培室をそれぞれ設け、少なくとも側壁部の一部を透明に形成することで、前記植物の栽培と出荷とを兼用する複数の栽培容器と、遮光性を備え、上側面に開口する複数の凹部を設け、これら複数の凹部にそれぞれ前記栽培容器を挿入することで、前記複数の栽培容器の前記側壁部の透明に形成された部分を覆う栽培容器用遮光体と、を具備したことを特徴とする。
【００１６】
請求項９に記載の植物栽培方法は、底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を用いて植物を栽培する植物栽培方法において、遮光性を備え、板状に形成するとともに、上面から下面に向けて開孔する複数の開孔部を設けた栽培容器用遮光体を用意し、前記植物の栽培の際に、前記栽培容器用遮光体に形成した複数の開孔部にそれぞれ前記栽培容器の下側を挿入して取り付けることで、前記栽培容器用遮光体で、前記複数の開孔部より下側の前記複数の栽培容器の側壁部外面を上側から遮蔽することを特徴とする。
【００１７】
請求項１０に記載の栽培容器用遮光体は、底面部と側壁部を形成することで、上側が開口し内側に消費の一単位としての植物を栽培するための栽培室を設け、少なくとも側壁部の一部を透明に形成することで、前記植物の栽培と出荷とを兼用する栽培容器を複数用いて植物を栽培する際に用いるものであって、遮光性を備え、板状に形成するとともに、上面から下面に向けて開孔する複数の開孔部を設け、これら複数の開孔部にそれぞれ前記栽培容器の下側を挿入して取り付けることで、前記複数の開孔部より下側の前記複数の栽培容器の側壁部外面を上側から遮蔽する遮光部を具備したことを特徴とする。
【００１８】
請求項１１に記載の植物栽培装置は、底面部と側壁部を形成することで、上側が開口し内側に消費の一単位としての植物を栽培するための栽培室をそれぞれ設け、少なくとも側壁部の一部を透明に形成することで、前記植物の栽培と出荷とを兼用する複数の栽培容器と、遮光性を備え、板状に形成するとともに、上面から下面に向けて開孔する複数の開孔部を設け、これら複数の開孔部にそれぞれ前記栽培容器の下側を挿入して取り付けることで、前記複数の開孔部より下側の前記複数の栽培容器の側壁部外面を上側から遮蔽する栽培容器用遮光体と、を具備したことを特徴とする。
【００１９】
請求項１２に記載の植物栽培装置は、請求項１１に記載の植物栽培装置であって、前記栽培容器用遮光体の複数の開孔部から下側に突出した前記複数の栽培容器の周りをそれぞれ覆う複数の壁部を前記保持具の下面に設けたことを特徴とする。
【００２０】
【発明の実施の形態】
以下、図面に基づいて本発明の実施の形態を説明する。
図１ないし図８は本発明に係る第１の実施の形態を示し、図１は芽物野菜栽培中の植物栽培装置を一部を切り欠いて示す斜視図、図２は植物栽培装置の分解斜視図、図３は栽培容器の底面図、図４は栽培箱を示す斜視図、図５は培地を敷く前の前の植物栽培装置を示す断面図、図６は培地を敷いた植物栽培装置を示す断面図、図７は培地に種子を蒔いた状態の植物栽培装置を示す断面図、図８は種子が発芽してある程度育った状態の植物栽培装置を示す断面図である。
【００２１】
図１に示すように、植物栽培装置１は、透明の栽培容器２に不透明の栽培容器用遮光体３（以下、遮光体３と省略する）を取り付けたものである。
【００２２】
栽培容器２は、底面部２１と側壁部２２，２３，２４，２５を形成することで、上側が開口し内側に消費の一単位としての植物を栽培するための栽培室１０を設け、少なくとも側壁部２２，２３，２４，２５の一部を透明に形成することで、前記植物の栽培と出荷とを兼用している。
【００２３】
ここで、本実施の形態では底面部２１と側壁部２２，２３，２４，２５の全てを透明に形成している。このように栽培容器２を透明に形成する理由は、出荷した際に、栽培容器２の外から内部の植物を確認できるようにするためである。
【００２４】
遮光体３は、遮光性を備え、前記栽培容器２の周りから前記側壁部２２，２３，２４，２５の透明に形成された部分を覆う。
【００２５】
栽培容器２の栽培室１０には、パルプ、発泡ウレタンマット、不織布等からなる植物栽培用培地４０（以下、培地４０と省略する）が配置され、この培地４０の上に前記植物の芽物野菜としての貝割れ大根４の種子４１を蒔くことによって貝割れ大根４を栽培する。栽培中の貝割れ大根４は、種子４１から根４２及び芽４３が伸びる。芽４３は葉４４と茎４５を形成する。
【００２６】
以下、第１の実施の形態をさらに詳細に説明する。
図１及び図２に示すように、栽培容器２は、例えば透明の合成樹脂を箱状に形成したものである。栽培容器２の上側は開口部２０によって開放している。
【００２７】
栽培容器２の底面部２１は略四角形となっている。底面部２１の縁には、四面の側壁部２２，２３，２４，２５が緩やかに湾曲して一体に繋がっている。側壁部２２，２３，２４，２５は下側が短い台形に形成されている。これにより、栽培容器２は、上側に向かって緩やかな拡開形状に形成されている。
【００２８】
側壁部２２，２３，２４，２５の上辺には、外側に膨張する段部２６を介してフランジ部２７が形成されている。フランジ部２７の外周には下側に向けて湾曲した湾曲部２８が形成されている。
【００２９】
側壁部２２，２３，２４，２５には、剛性を高めるために壁面を外側に向けて膨らませた凸部２９が上下方向のストライプ状に形成されている。
【００３０】
遮光体３は、例えば不透明プラスチック等の不透明な材質による四面の側壁部３２，３３，３４，３５を一体に繋げて形成したものである。遮光体３の上側及び下側はそれぞれ開口部３０，３１によって開放している。
【００３１】
遮光体３の開口部３０には、栽培容器２の底面部２１及び側壁部２２，２３，２４，２５及び段部２６が挿入され、遮光体３の上端には栽培容器２のフランジ部２７が係止する。栽培容器２の段部２６は、開口部３０の裏側に圧接しており、作業中に栽培容器２から遮光体３が不用意に外れないようにしている。
【００３２】
図３に示すように、栽培容器２の底面部２１には、剛性を高めるために壁面を下側に向けて膨らませた凸部３６が網目状に形成されている。また、底面部２１には、５個の水抜き用の貫通孔３７が形成されている。
【００３３】
図４に示すように、栽培箱５は、合成樹脂製箱体５１（以下、箱体５１と省略する）内に複数の植物栽培装置１を収納して構成される。
【００３４】
前記箱体５１は、ポリスチレン、ポリエチレン−スチレングラフト共重合体、ポリ塩化ビニル、ポリエチレン、ポリプロピレン等の合成樹脂もしくはこれらの発泡体により構成されており、コストおよび軽量性の観点からポリスチレン発泡体が好適に使用される。
【００３５】
前記箱体５１は、例えば矩形をなす底面部５２から全体の縁となる側壁部５３，５４，５５，５６を一体に周設してなり、その内側には隔壁等は設けられていない。
【００３６】
この側壁部５３，５４，５５，５６の四隅の上側には係合凸部５７が突設されている。側壁部５３，５４，５５，５６の四隅の底面部５２側となる下部には係合凹部５８が形成されている。前記係合凸部５７は、前記植物栽培装置１の高さよりもやや高くなるように形成されていおり、上に配置される箱体５１の係合凹部５８に係合可能になっている。
【００３７】
前記箱体５１の内側の底面部５２には、複数の水抜き孔５９が形成されている。
次に、図５ないし図８を用いて貝割れ大根４の栽培方法を説明する。
まず、図５に示す殺菌を行った複数の植物栽培装置１を複数用意する。
【００３８】
この後、図６に示すように、複数の植物栽培装置１の栽培容器２の栽培室１０に培地４０を配置し培地４０に水や栽培液を含ませる。この操作は、全て自動で行う。
【００３９】
さらに平行して、かいわれ大根４の種子４１（図１及び図７参照）を洗浄する。この洗浄の処理においては、種子４１に付着している不要なタンパク質やアミノ酸あるいはゴミなどを取り除くとともに、該種子４１に付着している可能性のある雑菌並びに病原菌を取り除くようにする。
【００４０】
次に、洗浄が済んだ種子４１を水や栽培液に浸けることにより膨潤する。
上述で膨潤処理を行ったために、その後、種子４１が発根する。種子４１が発根したら、図７に示すように、各栽培室１０に配置された培地４０の上に貝割れ大根の種子４１を直蒔する。
【００４１】
この状態で、植物栽培装置１を複数、図４に示した箱体５１に収納し、箱体５１を栽培棚に収納する。これにより、図８に示すように、種子４１が発芽し、培地４０の中に貝割れ大根４の根４２が延びるとともに、貝割れ大根４の芽４３が成長する。そして芽４３が所定の高さになった後、栽培棚の上側に設けた放電灯を点灯して貝割れ大根４に光合成を行わせ芽４３の葉４４を緑化させる。この場合、遮光体３によって、底面部２１と側壁部２２，２３，２４，２５からの光が貝割れ大根４に当たるのを防止できるので、芽４３は必ず垂直上方に向かって育成する。これに加えて芽４３の茎４５の緑化を防止できる。
【００４２】
この状態を数日間つづけ、貝割れ大根４の芽４３が適当な高さまで成長すると、箱体５１を栽培棚から取り出し、例えばドームの中で超酸性水（オゾン水）の蒸気で殺菌を行う。この後、植物栽培装置１を箱体５１から取り出して、栽培容器２から遮光体３を外し、栽培容器２の上側に蓋を取り付け、商品として出荷する。
【００４３】
ここで、栽培中において、栽培容器２の上から潅水等によって培地４０に含まれる余分な水または栽培液は、貫通孔３７から栽培容器２の外に排出される。
【００４４】
このような第１の実施の形態では、貝割れ大根４に光を当てて光合成を行わせ芽４３の葉４４を緑化させる際に、遮光体３によって、側壁部２２，２３，２４，２５から栽培室１０に光が入射せず、貝割れ大根４に側方からの光が当たるのを防止できるので、芽４３は必ず垂直上方に向かって育成できる。栽培容器２から遮光体３を外す際に遮光体３が貝割れ大根４に接触しないので、少なくとも側壁部の一部が透明な栽培容器を用いて栽培及び出荷を行う際に、貝割れ大根４の茎の成長を円滑にするとともに、貝割れ大根４が傷つくのを防止できる、出荷される植物の低価格化と品質を向上を両立できる。これに加えて芽４３の茎４５の緑化を防止できる。
【００４５】
また、第１の実施の形態によれば、遮光体３の材質に不透明のもの選択することで芽物野菜の葉のみを重点的に緑化させて商品としての品位を向上している。しかしながら、第１の実施の形態において、遮光体３の材質に半透明のものを選択することで、芽物野菜の茎も有る程度緑化させるなど、消費者の嗜好に合わせた芽物野菜の緑化も可能である。
【００４６】
図９は本発明に係る第２の実施の形態を示す栽培容器の断面図である。
図９を用いた第２の実施の形態の説明において、図１乃至図８に示した第１の実施の形態と同様の構成要素には同じ符号を付して説明を省略している。
【００４７】
栽培容器８は底面部８１と側壁部２３，２４，２５及び図示しない正面側の側壁部の全てに貫通孔を設けていない。栽培容器８に取り付ける遮光体３は、第１の実施の形態と同様である。
【００４８】
このような実施の形態によれば、第１の実施の形態と同様の効果を得ることができるとともに、栽培容器８内の培地に多くの水または栽培液を保持させることができ、多くの水または栽培液を要する根物野菜の栽培に好適である。
【００４９】
図１０は本発明に係る第３の実施の形態を示す栽培容器の断面図である。
図１０を用いた第３の実施の形態の説明において、図１乃至図８に示した第１の実施の形態と同様の構成要素には同じ符号を付して説明を省略している。
【００５０】
図１０に示すように、栽培容器９は、側壁部９３，９４，９５及び図示しない正面側の側壁部の上下の中間部には通気用の複数の貫通孔９７を設け、底面部９１には貫通孔を設けていない。栽培容器９に取り付ける遮光体３は、第１の実施の形態と同様である。
【００５１】
このような実施の形態によれば、第１の実施の形態と同様の効果を得ることができるとともに、芽物野菜の栽培中において栽培容器９内の通気性を高めるとともに、培地に多くの水または栽培液を保持させることができ、生育のために多くの酸素または各種ガスを要するとともに多くの水または栽培液を要する根物野菜の栽培に好適である。
【００５２】
図１１は本発明に係る第４の実施の形態を示す栽培容器の断面図である。
図１１を用いた第４の実施の形態の説明において、図１乃至図８に示した第１の実施の形態と同様の構成要素には同じ符号を付して説明を省略している。
【００５３】
図１１に示すように、栽培容器１０１は、側壁部１１３，１１４，１１５及び図示しない正面側の側壁部の上下の中間部には通気用の複数の貫通孔１１７を設け、底面部１１１には複数の貫通孔１２７を設けている。栽培容器１０１に取り付ける遮光体３は、第１の実施の形態と同様である。
【００５４】
このような実施の形態によれば、第１の実施の形態と同様の効果を得ることができるとともに、栽培容器１０１内の通気性を高めるとともに、栽培容器１０１内の余分な水や栽培液を排出することができ、生育のために多くの酸素または各種ガスを要するとともに根腐れしやすい根物野菜の栽培に好適である。
【００５５】
図１２は本発明に係る第５の実施の形態を示す植物栽培装置の斜視図である。
図１２を用いた第５の実施の形態の説明において、図１乃至図８に示した第１の実施の形態と同様の構成要素には同じ符号を付して説明を省略している。
【００５６】
図１２に示すように、第５の実施の形態の植物栽培装置では、図４に示したものと同様の栽培箱５に栽培容器用遮光体としての間仕切り１５０を収納し、間仕切り１５０の複数の収納部１５１にそれぞれ栽培容器２を収納している。
【００５７】
前記間仕切り１５０は、全体の縁となる周側壁１５３，１５４，１５５，１５６を一体に周設してなり、その内側には区画をなす区画壁１５７が設けられている。前記間仕切り１５０は、周側壁１５３，１５４，１５５，１５６と区画壁１５７に囲まれた部分が収納部１５１になっている。
【００５８】
ここで、周側壁１５３，１５４，１５５，１５６は、側壁部５３，５４，５５，５６の切り欠６０からの光を遮る役目を有している。
【００５９】
複数の栽培容栽培容器２器２は、栽培室１０の開口を上側に向けた状態で、前記間仕切り１５０の複数の収納部１５１にそれぞれ挿入されるようになっている。また、複数の栽培容器２のフランジ部２７は、区画壁１５７の上端に係止する。
【００６０】
このような第５の実施の形態によれば、第１の実施の形態と同様の効果を得ることができるとともに、一体の栽培容器用遮光体としての間仕切り１５０で同時に複数の栽培容器２の遮光が行えるので、複数の栽培容器２に栽培容器用遮光体を取り付ける場合及び取り外す場合の作業性が向上する。
【００６１】
尚、図１２に示す第５の実施の形態において、栽培箱５の側壁部５３，５４，５５，５６に切り欠６０を形成せず、側壁部５３，５４，５５，５６の上辺の全ての高さを、区画壁１５７と同等の高さにした場合、間仕切り１５０は、周側壁１５３，１５４，１５５，１５６を設けず、区画壁１５７のみで形成してもよい。
【００６２】
図１３乃至図１５は本発明に係る第６の実施の形態を示し、図１３は植物栽培装置の斜視図、図１４は植物栽培装置の要部の断面図、図１５は植物が成長した状態を示す説明図である。
【００６３】
図１３及び図１４に示すように、植物栽培装置２０１は、各々分離して独立した状態の複数の栽培容器２２０を、一つの保持具２１０で保持した状態で植物の栽培を行うものである。
【００６４】
保持具２１０は、不透明な合成樹脂で形成され、上面に開口する複数の凹部１１を設けている。
【００６５】
複数の栽培容器２２０は、底面部２２３と側壁部２２４，２２５，２２６，２２７を形成することで、上側が開口し内側に消費の一単位としての植物を栽培するための栽培室２２１を設け、少なくとも側壁部２２４，２２５，２２６，２２７の一部を透明に形成することで、前記植物の栽培と出荷とを兼用する。
【００６６】
ここで、第６の実施の形態では底面部２２３と側壁部２２４，２２５，２２６，２２７の全てを透明に形成している。このように栽培容器２２０を透明に形成する理由は、出荷した際に、栽培容器２２０の外から内部の植物を確認できるようにするためである。
【００６７】
保持具２１０は、栽培容器用遮光体となっている。即ち、保持具２１０は、不透明な合成樹脂で形成することで遮光性を備え、上側面に開口する複数の凹部２１１を設け、これら複数の凹部２１１にそれぞれ前記栽培容器２２０を挿入することで、前記複数の栽培容器２２０の前記側壁部の透明に形成された部分を覆う遮光部を有する。
【００６８】
これら複数の栽培容器２２０は、栽培室２２１の開口を上側に向けた状態で、前記保持具２１０の複数の凹部２１１にそれぞれ挿入されるようになっている。また、複数の栽培容器２２０の側壁の上辺にはフランジ部２２２が形成されている。フランジ部２２２は、前記凹部２１１の周りの縁部２１２に係止する係止部となっている。
【００６９】
次に、保持具２１０についてさらに詳細に説明する。
前記保持具２１０は、板状部２１３を介して箱状部２１４を連設したものである。
【００７０】
板状部２１３には、複数の開孔部２１５が前後左右に配列して設けられている。
箱状部２１４は、上側が開口した箱状に形成され、それぞれの開口部が前記複数の開孔部２１５に連通した状態で前記板状部２１３に接続している。
【００７１】
これにより、箱状部２１４の内側と板状部２１３の開孔部２１５は、前記凹部２１１を形成している。
【００７２】
図１４に示すように、栽培容器２２０の栽培室２２１には、パルプ、発泡ウレタンマット、不織布等からなる植物栽培用培地４０（以下、培地４０と省略する）が配置され、この培地４０の上に植物の芽物野菜としての貝割れ大根４の種子４１を蒔くことによって貝割れ大根４を栽培する。栽培中の貝割れ大根４は、図１５に示すよう種子４１から根４２及び芽４３が伸びる。
【００７３】
培地４０は、前記貝割れ大根の種蒔きから前記貝割れ大根の栽培が終了するまでの間、例えば１週間、前記貝割れ大根が必要とする水分を含有する。
【００７４】
次に、植物の栽培方法を説明する。
まず、図１３に示す殺菌を行った複数の栽培容器２２０と保持具２１０を用意する。
【００７５】
次に、保持具２１０の複数の凹部２１１に栽培容器２２０を挿入するすることで植物栽培装置２０１を形成する。
【００７６】
この後、複数の栽培容器２２０の栽培室２２１に培地４０を配置し培地４０に水や栽培液を含ませる。この操作は、全て自動で行う。
【００７７】
さらに平行して、かいわれ大根の種子４１を洗浄する。次に、洗浄が済んだ種子４１を水や栽培液に浸けることにより膨潤する。この後、種子４１が発根したら、図１４に示すように、各栽培室２２１に配置された培地４０の上に貝割れ大根の種子４１を直蒔する。
【００７８】
次に、栽培棚に植物栽培装置２０１を収納する。これにより、図１５に示すように、培地４０の中に貝割れ大根４の根４２が延びるとともに、貝割れ大根４の芽４３が成長する。そして芽４３が所定の高さになった後、栽培棚の上側に設けた放電灯を点灯して貝割れ大根４に光合成を行わせ芽４３の葉４４を緑化させる。
【００７９】
この場合、保持具２１０によって、底面部２２３と側壁部２２４，２２５，２２６，２２７からの光が貝割れ大根４に当たるのを防止できるので、芽４３は必ず垂直上方に向かって育成する。これに加えて芽４３の茎４５の緑化を防止できる。
【００８０】
この状態を数日間つづけ、貝割れ大根４の芽４３が適当な高さまで成長すると、植物栽培装置２０１を栽培棚から取り出し、保持具２１０から栽培容器２２０を取り出し、栽培容器２２０の上側に蓋を取り付けて出荷する。
【００８１】
このような第６の実施の形態によれば、貝割れ大根４に光を当てて光合成を行わせ芽４３の葉４４を緑化させる際に、保持具２１０によって、側壁部２２４，２５，２２６，２２７から栽培室２２１に光が入射せず、貝割れ大根４に側方からの光が当たるのを防止できるので、芽４３は必ず垂直上方に向かって育成できる。保持具２１０から栽培容器２２０を外す際に保持具２１０が貝割れ大根４に接触しないので、少なくとも側壁部の一部が透明な栽培容器を用いて栽培及び出荷を行う際に、貝割れ大根４の茎４５の成長を円滑にするとともに、貝割れ大根４が傷つくのを防止できる、出荷される植物の低価格化と品質を向上を両立できる。これに加えて芽４３の茎４５の緑化を防止できる。
【００８２】
また、第６の実施の形態によれば、保持具２１０の材質に不透明のもの選択することで芽物野菜の葉のみを重点的に緑化させて商品としての品位を向上している。しかしながら、第６の実施の形態において、保持具２１０の材質に半透明のものを選択することで、芽物野菜の茎も有る程度緑化させるなど、消費者の嗜好に合わせた芽物野菜の緑化も可能である。
【００８３】
図１６及び図１７は本発明に係る第７の実施の形態を示し、図１６は植物栽培装置の斜視図、図１７は植物栽培装置の要部の断面図である。
【００８４】
図１６及び図１７を用いた第７の実施の形態の説明において、図１３及び図１４に示した第６の実施の形態と同様の構成要素には同じ符号を付して説明を省略している。
【００８５】
図１６及び図１７に示すように、植物栽培装置２０５は、各々分離して独立した状態の複数の栽培容器２２０を、一つの保持具２５０で保持した状態で植物の栽培を行うものである。
【００８６】
前記保持具２５０は、底壁２５２と周側壁２５３，２５４，２５５，２５６と区画壁２５７とにより前記複数の凹部２５１の内面を形成した例えば発砲スチロール製の箱体である。
【００８７】
前記保持具２５０は、例えば矩形をなす底壁２５２から全体の縁となる周側壁２５３，２５４，２５５，２５６を一体に周設してなり、その内側には区画をなす区画壁２５７が設けられている。保持具２５０は、底壁２５２と周側壁２５３，２５４，２５５，２５６と区画壁２５７に囲まれた部分が凹部２５１になっている。
【００８８】
複数の栽培容器２２０は、栽培室２２１の開口を上側に向けた状態で、前記保持具２５０の複数の凹部２５１にそれぞれ挿入されるようになっている。また、複数の栽培容器２２０のフランジ部２２２は、前記凹部２５１の周りの縁部２５２に係止する。
【００８９】
次に、植物の栽培方法を説明する。
まず、図１７に示す殺菌を行った複数の栽培容器２２０と保持具２５０を用意する。
【００９０】
保持具２５０の複数の凹部２５１に栽培容器２２０を挿入するすることで植物栽培装置２０５を形成する。
【００９１】
この後、第６の実施の形態と同様の要領で植物の栽培が行える。
このような第７の実施の形態によれば、第６の実施の形態と同様の効果が得られる。
【００９２】
図１８及び図１９は本発明に係る第８の実施の形態を示し、図１８は植物栽培装置の斜視図、図１９は植物栽培装置の要部の断面図である。
【００９３】
図１８及び図１９を用いた第８の実施の形態の説明において、図１３及び図１４に示した第６の実施の形態と同様の構成要素には同じ符号を付して説明を省略している。
【００９４】
図１８及び図１９に示すように、植物栽培装置２０６は、各々分離して独立した状態の複数の栽培容器２２０を、一つの保持具２６０で保持した状態で植物の栽培を行うものである。
【００９５】
前記保持具２６０は、遮光性を有する遮光部となっており、不透明の素材を板状に形成するとともに、上面から下面に向けて開孔する複数の開孔部２６１を前後左右に並べて設けたものである。
【００９６】
複数の栽培容器２２０は、栽培室２２１の開口を上側に向けた状態で、前記保持具２６０の上側から複数の開孔部２６１にそれぞれ挿入されるようになっている。また、複数の栽培容器２２０のフランジ部２２２は、前記開孔部２６１の周りの縁部２６２に係止する。
【００９７】
前記保持具２６０は、これら複数の開孔部２６１にそれぞれ前記栽培容器２２０の下側を挿入して取り付けることで、前記複数の開孔部２６１より下側の前記複数の栽培容器２２０の前記側壁部２２４，２２５，２２６，２２７の外面を上側から遮蔽する栽培容器用遮光体となっている。
【００９８】
次に、植物の栽培方法を説明する。
まず、図１８に示す殺菌を行った複数の栽培容器２２０と保持具２６０を用意する。
【００９９】
保持具２６０の複数の開孔部２６１に栽培容器２２０を挿入するすることで植物栽培装置２０６を形成する。
【０１００】
この後、第６の実施の形態と同様の要領で植物の栽培が行える。
このような第８の実施の形態によれば、第６の実施の形態と同様の効果が得られる。
【０１０１】
図２０及び図２１は本発明に係る第９の実施の形態を示し、図２０は植物栽培装置の斜視図、図２１は植物栽培装置の要部の断面図である。
【０１０２】
図２０及び図２１を用いた第９の実施の形態の説明において、図１３及び図１４に示した第６の実施の形態と同様の構成要素には同じ符号を付して説明を省略している。
【０１０３】
図２０及び図２１に示すように、植物栽培装置２０７は、各々分離して独立した状態の複数の栽培容器２２０を、一つの保持具２７０で保持した状態で植物の栽培を行うものである。
【０１０４】
前記保持具２７０は、板状部２８０の下面に複数の円筒部２９０を取り付けて形成している。
【０１０５】
板状部２８０は、遮光性を有する遮光部となっており、不透明の素材を板状に形成するとともに、複数の開孔部２８１を前後左右に並べて形成したものである。
【０１０６】
円筒部２９０は、板状部２８０の複数の開孔部２８１から下側に突出した複数の栽培容器２２０の周りを覆う壁部となっている。この場合、円筒部２９０は、好ましくは遮光性を有する素材で形成するが、必ずしも遮光性を有する必要はない。
【０１０７】
複数の栽培容器２２０は、栽培室２２１の開口を上側に向けた状態で、前記保持具２７０の複数の開孔部２８１にそれぞれ挿入されるようになっている。また、複数の栽培容器２２０のフランジ部２２２は、前記開孔部２８１の周りの縁部２８２に係止する。
【０１０８】
次に、植物の栽培方法を説明する。
まず、図２０に示す殺菌を行った複数の栽培容器２２０と保持具２７０を用意する。
【０１０９】
保持具２７０の複数の開孔部２８１に栽培容器２２０を挿入するすることで植物栽培装置２０７を形成する。
【０１１０】
この後、第６の実施の形態と同様の要領で植物の栽培が行える。
このような第９の実施の形態によれば、第６の実施の形態と同様の効果が得られる。
【０１１１】
尚、本発明で適用できる植物としては、芽物野菜として貝割れ大根以外に、三ツ葉、そば芽、小大豆もやしや緑豆ブラックもやし等にも適用可能であり、さらに野菜としてブロッコリーにも適用可能である。
【０１１２】
また、図１乃至図２１に示した実施の形態では、培地４０には初めに栽培液ではなく水を含有させ、後に必要とする肥料を加え、または散布してもよい。
【０１１３】
また、図１乃至図２１に示した実施の形態では、栽培容器全体を透明に形成したが、側壁部の一部に商品名を印刷することも可能で、少なくとも側壁部の一部を透明に形成することで、前記植物の栽培と出荷とを兼用できる。
【０１１４】
また、図１０及び図１１に示した実施の形態では、栽培容器は側壁部の上下の中間部には通気用の複数の貫通孔を設けたが、側壁部の全体に貫通孔を設けてもよく、さらに任意の一部に設けてよい。
【０１１５】
また、図１乃至図８及び図１１に示した実施の形態では、栽培容器の底面部の貫通孔は、栽培容器の上から潅水した際等の余分な水分（水または栽培液）を排水するための排水孔として用いたが、栽培容器をプールに浮かべて給水する際の給水孔として用いることも可能である。
【０１１６】
図１乃至図１２に示した実施の形態では、遮光体全体を不透明な遮光部としたが、栽培容器の透明な部分に合わせて、遮光体に対して部分的に不透明な遮光部を設け残りを透明部にしてもよい。
【０１１７】
また、図１３乃至図２１に示した実施の形態では、栽培容器２２０には貫通孔を形成しなかったが、栽培容器２２０は、側面や底面に、水抜き用、通気用や、栽培容器をプールに浮かべて給水する際の給水孔用の貫通孔を形成してもよい。
【０１１８】
図１３乃至図１５に示した実施の形態では、保持具２１０全体を遮光部としたが、板状部２１３と箱状部２１４との一方を不透明の遮光部とし、他方を透明にしてもよい。
【０１１９】
【発明の効果】
以上述べた様に本発明によれば、少なくとも側壁部の一部が透明な栽培容器を用いて栽培及び出荷を行う際に、植物の茎の成長を円滑にするとともに、植物が傷つくのを防止でき、出荷される植物の低価格化と品質を向上を両立できる。また、本発明によれば、栽培容器の側壁部に形成した通気孔により栽培容器内の通気性を高めることができる。
【図面の簡単な説明】
【図１】本発明の第１の実施の形態に係る植物栽培装置の斜視図。
【図２】本発明の第１の実施の形態に係る植物栽培装置の分解斜視図。
【図３】本発明の第１の実施の形態に係る栽培容器の底面図。
【図４】本発明の第１の実施の形態に係る栽培箱を示す斜視図。
【図５】本発明の第１の実施の形態に係る培地を敷く前の前の植物栽培装置を示す断面図。
【図６】本発明の第１の実施の形態に係る培地を敷いた植物栽培装置を示す断面図。
【図７】本発明の第１の実施の形態に係る培地に種子を蒔いた状態の植物栽培装置を示す断面図。
【図８】本発明の第１の実施の形態に係る種子が発芽してある程度育った状態の植物栽培装置を示す断面図。
【図９】本発明に係る第２の実施の形態を示す栽培容器の断面図。
【図１０】本発明に係る第３の実施の形態を示す栽培容器の断面図。
【図１１】本発明に係る第４の実施の形態を示す栽培容器の断面図。
【図１２】本発明に係る第５の実施の形態を示す植物栽培装置の斜視図。
【図１３】本発明に係る第６の実施の形態を示す植物栽培装置の斜視図。
【図１４】本発明に係る第６の実施の形態を示す植物栽培装置の要部の断面図。
【図１５】本発明に係る第６の実施の形態を示す植物栽培装置により植物が成長した状態を示す説明図。
【図１６】本発明に係る第７の実施の形態を示す植物栽培装置の斜視図。
【図１７】本発明に係る第７の実施の形態を示す植物栽培装置の要部の断面図。
【図１８】本発明に係る第８の実施の形態を示す植物栽培装置の斜視図。
【図１９】本発明に係る第８の実施の形態を示す植物栽培装置の要部の断面図。
【図２０】本発明に係る第９の実施の形態を示す植物栽培装置の斜視図。
【図２１】本発明に係る第９の実施の形態を示す植物栽培装置の要部の断面図。
【符号の説明】
１，２０１  …植物栽培装置
２，２２０  …栽培容器
３          …遮光体
４          …貝割れ大根
２１          …底面部
２２，２３，２４，２５          …側壁部
４０          …植物栽培用培地
４１          …種子
２１０          …保持具
２１１          …凹部
２１３          …板状部
２１４          …箱状部
２２１          …栽培室
２２２          …フランジ部
【図１】
2004242575.tif 000003
【図２】
2004242575.tif 000004
【図３】
2004242575.tif 000005
【図４】
2004242575.tif 000006
【図５】
2004242575.tif 000007
【図６】
2004242575.tif 000008
【図７】
2004242575.tif 000009
【図８】
2004242575.tif 000010
【図９】
2004242575.tif 000011
【図１０】
2004242575.tif 000012
【図１１】
2004242575.tif 000013
【図１２】
2004242575.tif 000014
【図１３】
2004242575.tif 000015
【図１４】
2004242575.tif 000016
【図１５】
2004242575.tif 000017
【図１６】
2004242575.tif 000018
【図１７】
2004242575.tif 000019
【図１８】
2004242575.tif 000020
【図１９】
2004242575.tif 000021
【図２０】
2004242575.tif 000022
【図２１】
2004242575.tif 000023